(57)【要約】【課題】従来の給湯装置では、リモコン装置を使用しない状態ではリモコン装置が鏡面によって隠されるので、インテリアデザイン上は優れているものの、機器である給湯装置の機能に合わせて専用のリモコン装置を用いているので、機器の機能に応じて複数種類のリモコン装置を製造しなければならないという不具合が生じる。【解決手段】複数のスイッチの各々にいずれの制御内容を割り当てるかを決定するデータを記憶する記憶部を備え、その記憶部に記憶させるデータを変更することによってスイッチに割り当てる制御内容を変更し得るように構成した。【選択図】  図２
2016082530.tif 000002
【特許請求の範囲】
【請求項１】
機器に対して離れた位置に設置され、この機器との間で通信を行って機器の制御をするリモコン装置であって、制御用の複数のスイッチを備え、いずれかのスイッチを操作すると、そのスイッチに割り当てられた制御内容の信号を機器に送信するものにおいて、上記複数のスイッチの各々にいずれの制御内容を割り当てるかを決定するデータを記憶する記憶部を備え、その記憶部に記憶させるデータを変更することによってスイッチに割り当てる制御内容を変更し得るように構成したことを特徴とするリモコン装置。
【請求項２】
上記リモコン装置の前面をハーフミラーで覆うとともに、ハーフミラーの裏側に上記複数のスイッチとして非接触のスイッチを複数配置するとともに、各スイッチに割り当てられた制御内容を視認させるための発光部を各スイッチに併設したことを特徴とする請求項１に記載のリモコン装置。
【発明の詳細な説明】
【技術分野】
【０００１】
本発明は、例えば屋外に設置された給湯装置の作動を台所から制御するための台所リモコンとして好適なリモコン装置に関する。
【背景技術】
【０００２】
上述のようなリモコン装置としての一般的なリモコン装置は、リモコン装置と機器である給湯装置とが通信線を介して相互に接続されており、リモコン装置と機器との間で相互に通信を行うように構成されている。このようなリモコン装置の前面には各種のスイッチが備えられており、それらのスイッチの各々に制御内容が割り当てられている。
【０００３】
いずれかのスイッチを操作すると、その操作されたスイッチに割り当てられている制御内容に対応する信号が通信線を通って機器側に送信される。機器側ではその信号を受信すると、機器内に設けられた制御部は、その信号に対応する制御内容に従って機器の動作を制御する。
【０００４】
ところで、機器として、例えば給湯装置を例に挙げると、給湯装置は機種によって機能が相違し、多くの機能を備えている給湯装置もあれば備えている機能が少ない給湯装置もある。したがって、給湯装置に接続されるリモコン装置は１種類ではなく、図５の（ａ）、（ｂ）に例示するように、接続される給湯装置の機能に応じて複数種類のリモコン装置が用意されている。
【０００５】
また、リモコン装置を使用しない状態では、リモコンの外観が室内のインテリアを損なう場合があり、そのような場合のため、リモコン装置の前面をハーフミラーで覆い、リモコン装置を使用しない状態では、リモコン装置の外観を鏡面で隠すようにしたものが知られている（例えば、特許文献１参照）。
【先行技術文献】
【特許文献】
【０００６】
【特許文献１】特開２００７−７１４６０号公報（図１）
【発明の概要】
【発明が解決しようとする課題】
【０００７】
上記特許文献１に記載された給湯装置では、リモコン装置を使用しない状態ではリモコン装置が鏡面によって隠されるので、インテリアデザイン上は優れているものの、機器である給湯装置の機能に合わせて専用のリモコン装置を用いているので、機器の機能に応じて複数種類のリモコン装置を製造しなければならないという不具合が生じる。
【０００８】
そこで本発明は、上記の問題点に鑑み、機器の機能が相違しても１種類のリモコン装置で対応することのできるリモコン装置を提供することを課題とする。
【課題を解決するための手段】
【０００９】
上記課題を解決するために本発明によるリモコン装置は、機器に対して離れた位置に設置され、この機器との間で通信を行って機器の制御をするリモコン装置であって、制御用の複数のスイッチを備え、いずれかのスイッチを操作すると、そのスイッチに割り当てられた制御内容の信号を機器に送信するものにおいて、上記複数のスイッチの各々にいずれの制御内容を割り当てるかを決定するデータを記憶する記憶部を備え、その記憶部に記憶させるデータを変更することによってスイッチに割り当てる制御内容を変更し得るように構成したことを特徴とする。
【００１０】
リモコン装置のハードを共通化して、記憶部に記憶させるデータを機器の機種に合わせて変更することによって１種類のリモコン装置で複数機種の機器の制御を行う。
【００１１】
なお、上記リモコン装置の前面をハーフミラーで覆うとともに、ハーフミラーの裏側に上記複数のスイッチとして非接触のスイッチを複数配置するとともに、各スイッチに割り当てられた制御内容を視認させるための発光部を各スイッチに併設してもよい。
【発明の効果】
【００１２】
以上の説明から明らかなように、本発明は、リモコン装置のハードを共通化して、記憶部に記憶させるデータを機器の機種に合わせて変更することによって１種類のリモコン装置で複数機種の機器の制御を行うことができる。
【図面の簡単な説明】
【００１３】
【図１】本発明によるリモコン装置の外観を示す斜視図
【図２】リモコン装置の正面図
【図３】III-III断面図
【図４】リモコン装置の使用時の正面図
【図５】従来のリモコン装置を示す正面図
【発明を実施するための形態】
【００１４】
図１を参照して、１は給湯装置用の台所リモコンとして使用されるリモコン装置の筐体であり、この筐体１は前方に向かって開口する箱状に形成されている。そして、その前面の開口には透明な樹脂板２が取り付けられている。
【００１５】
図２および図３を参照して、筐体１内にバックライトを備えた表示部３と回路基板４とが収納されている。また、樹脂板２の背面にはハーフミラーフィルム５と文字マスクフィルム６とが、配設されている。
【００１６】
回路基板４の前面には静電式のタッチセンサ用の電極４１とＬＥＤ４２とが複数配列されている。また、回路基板４の裏面にはタッチセンサ用のＩＣ４３の他に、図示しないが、ＣＰＵやＥＥＰＲＯＭなどが設けられている。
【００１７】
このＥＥＰＲＯＭには複数の電極４１のいずれにどの制御内容を割り当てるかを設定したデータが記憶されており、いずれかのスイッチの前方に指が近づいてくると、上記ＣＰＵを含めたリモコン装置側の制御部は、その指が近づいた電極に割り当てられている制御内容に対応する信号を図外の制御装置に送信する。
【００１８】
このようにいずれの電極にどの制御内容を割り当てるかは、その機種の給湯装置に接続するかによって決まるが、一旦どの機種の給湯装置に接続するかが決まれば、電極４１に割り当てられた制御内容は変更されることがない。
【００１９】
そこで、特定の機種用に用いるために上記ＥＥＰＲＯＭにデータを記憶させると、その機種にあわせて文字や記号を抜いた文字マスクフィルム６を選択してハーフミラーフィルム５の裏側にセットする。この文字マスクフィルム６の文字や記号状に抜かれている部分はＬＥＤ４２の前方に位置するように設定されているので、ＬＥＤ４２が点灯すると、抜かれている文字や記号がリモコン装置の前面に表示されることになる。
【００２０】
リモコン装置の表示部３や全てのＬＥＤ４２が消灯していると、図１に示したように、リモコン装置の前面には何も表示されず、鏡面になっている。次に、例えば給湯装置が作動するとリモコン装置が起動して、図４に示すように、表示部３の表示内容３ａや文字マスクフィルム６に抜かれた文字や記号６ａが前面に表示される。そして、その表示されている部分の右側に触れれば、上記電極４１によって触れられたことが検知され、給湯装置に所定の信号が送信される。
【００２１】
なお、本発明は上記した形態に限定されるものではなく、本発明の要旨を逸脱しない範囲内において種々の変更を加えてもかまわない。
【符号の説明】
【００２２】
１ 筐体
２ 樹脂板
３ 表示部
４ 回路基板
５ ハーフミラーフィルム
６ 文字マスクフィルム
４１ 電極
４２ ＬＥＤ
【図１】
2016082530.tif 000003
【図２】
2016082530.tif 000004
【図３】
2016082530.tif 000005
【図４】
2016082530.tif 000006
【図５】
2016082530.tif 000007